(57)【要約】【課題】オープンタイプの階段に適用する踏板について、新規な構造を提案する。【解決手段】踏板２の少なくとも一方の端部が露出するタイプの階段に用いられる踏板２であって、踏板２の基材１０の段鼻部１１に形成された切欠き部１２に樹脂製の段鼻部材が設けられ、段鼻部材は、ベース部材２０とカバー部材３０とからなる、踏板２とする。これにより、段鼻部１１に樹脂製の段鼻部材を設けた踏板２を構成することができる。また、基材１０には化粧シート材１４ａ，１４ｂが貼設されるものであり、切欠き部１２に化粧シート材１４ａ，１４ｂの継目１４が配置される、こととする。これにより、化粧シート材１４ａ，１４ｂの継目１４を段鼻部材によって隠すことができ、意匠性を確保することができる。【選択図】図１
2014091916.tif 000002
【特許請求の範囲】
【請求項１】
踏板の少なくとも一方の端部が露出するタイプの階段に用いられる踏板であって、
前記踏板の角部に形成された切欠き部に樹脂製の段鼻部材が設けられ、
前記段鼻部材は、ベース部材と、カバー部材とからなる、踏板。
【請求項２】
前記踏板の基材には化粧シート材が貼設されるものであり、
前記切欠き部に前記化粧シート材の継目が配置される、
ことを特徴とする請求項１に記載の踏板。
【請求項３】
前記踏板の角部を形成する前記ベース部材は、軟質の樹脂にて構成される、
ことを特徴とする請求項１又は請求項２に記載の踏板。
【請求項４】
請求項１乃至請求項３のいずれか一項に記載の踏板を備える階段。
【発明の詳細な説明】
【技術分野】
【０００１】
本発明は、階段の踏板の構造に関するものである。
【背景技術】
【０００２】
従来、例えば特許文献１に開示されるように、階段を構成する踏板に関して、各種の技術が知られている。
【０００３】
特許文献１では、踏板の基材の表面に、木目柄が印刷された化粧シート材を貼り付けると共に、上記基材の先端側上面に複数条の溝を加工し、該溝に軟質樹脂製の滑り止め材を上面から微小量突出させた状態で脱着可能に嵌め込んでなる階段について開示しており、また、踏板の段鼻部に断面視略Ｃ字状の長尺の段鼻カバー材を設ける構成について開示している。
【０００４】
また、特許文献１では、踏板の横幅方向に滑り止め材嵌合溝が形成され、この滑り止め材嵌合溝に長尺の滑り止め材が嵌合される構成について開示している。
【先行技術文献】
【特許文献】
【０００５】
【特許文献１】特開２００７−２９１７２２号公報
【発明の概要】
【発明が解決しようとする課題】
【０００６】
上述したように、階段の踏板については、段鼻カバー材や滑り止め材といった踏板に取付けられる長尺の部材が設けられるものであるが、これらの長尺の部材の端部を含め、踏板の側端部（幅方向端部）においては、その仕上げを考慮する必要が生じる場合がある。
【０００７】
即ち、仮に、特許文献１に開示されるように、踏板の両側方に側板（或いは壁）が存在する、いわゆるボックスタイプの階段では、この側板によって踏板の側端部が隠されるため、踏板についての側端部の仕上げを考慮する必要性が低いものとなる。
【０００８】
しかしながら、踏板の側方に側板（或いは壁）が存在しない、いわゆるオープンタイプの階段では、側板によって踏板の側端部が隠されないため、踏板についての側端部の仕上げを考慮する必要が生じる。
【０００９】
このため、従来のオープンタイプの階段では、踏板の側端部の仕上げの必要性から、段鼻カバー材や滑り止め材といった長尺の部材が設けられることがなかった。
【００１０】
そこで、本発明は以上の構成に鑑み、オープンタイプの階段に適用する踏板について、新規な構造を提案するものである。
【００１１】
また、他の課題として、仮に、オープンタイプの階段において、踏板に取付けられる長尺の部材が樹脂製部材であると、その伸縮性によって長手方向端部において、踏板を構成する本体部分（基材）と樹脂製部材にズレが生じて、隙間などが生じることが懸念される。
【００１２】
そこで、本発明は、オープンタイプの階段において、踏板の側端部について好適な仕上げを可能とする新規な技術を提案するものである。
【課題を解決するための手段】
【００１３】
本発明の解決しようとする課題は以上の如くであり、次にこの課題を解決するための手段を説明する。
【００１４】
即ち、請求項１に記載のごとく、
踏板の少なくとも一方の端部が露出するタイプの階段に用いられる踏板であって、
前記踏板の角部に形成された切欠き部に樹脂製の段鼻部材が設けられ、
前記段鼻部材は、ベース部材と、カバー部材とからなる、踏板とする。
【００１５】
また、請求項２に記載のごとく、
前記踏板の基材には化粧シート材が貼設されるものであり、
前記切欠き部に前記化粧シート材の継目が配置される、こととする。
【００１６】
また、請求項３に記載のごとく、
前記踏板の角部を形成する前記ベース部材は、軟質の樹脂にて構成される、こととする。
【００１７】
また、請求項４に記載のごとく、
請求項１乃至請求項３のいずれか一項に記載の踏板を備える階段とする。
【発明の効果】
【００１８】
本発明の効果として、以下に示すような効果を奏する。
【００１９】
即ち、請求項１に記載の発明においては、段鼻部に樹脂製の段鼻部材を設けた踏板を構成することができる。
【００２０】
また、請求項２に記載の発明においては、化粧シート材の継目を段鼻部材によって隠すことができ、意匠性を確保することができる。
【００２１】
また、請求項３に記載の発明においては、例えば、階段を上る際において角部に足指のつま先をぶつけてしまった場合においても、角部がクッションの役割を発揮して、痛みの発生を防止することが可能となる。
【００２２】
また、請求項４に記載の発明においては、各踏板の段鼻部に樹脂製の段鼻部材を設けた階段を実現することができる。
【図面の簡単な説明】
【００２３】
【図１】本発明の一実施形態について示す斜視図。
【図２】踏板の概要について示す斜視図。
【図３】踏板の側断面図。
【図４】踏板の平面図。
【図５】端部キャップの斜視図。
【図６】踏板の組立手順について説明する図。
【発明を実施するための形態】
【００２４】
以下、本発明の実施形態を図面に基づいて説明する。
図１は本発明の一実施形態について示す斜視図、図２は踏板の概要について示す斜視図、図３は踏板の側断面図、図４は踏板の平面図、図５は端部キャップの斜視図、図６は踏板の組立手順について説明する図である。また、各図において、踏板２の横幅の方向（長手方向）を幅方向Ｘとし、踏板２の奥行きの方向（短手方向）を奥行き方向Ｙとする。
【００２５】
図１に示すごとく、本実施形態では、室内に階段１が設けられており、階段１に設けられる各踏板２の幅方向において一方の端部が露出する、いわゆるオープンタイプの階段が構成されることとしている。
【００２６】
図２に示すごとく、踏板２は、木材などからなる基材１０と、基材１０の奥行き方向Ｙの前端部、つまりは、段鼻部１１に配置されるベース部材２０と、ベース部材２０に取付けられるカバー部材３０と、踏板２の幅方向Ｘの側端部に配置される端部キャップ４０とを有して構成される。
【００２７】
図２及び図３に示すごとく、基材１０は、木材や樹脂などからなる板材にて構成されている。この基材１０における奥行き方向Ｙの前側の端部となる段鼻部１１には、段鼻部１１の上側角部を略Ｌ字状に切り欠くようにして構成される溝状の切欠き部１２が形成されている。本実施形態の切欠き部１２は、基材１０の表面１３ａよりも一段低い位置において平面構成する底面部１２ａと、底面部１２ａから立ち上がって基材１０の表面１３ａに至る縦面部１２ｂを有して構成される。
【００２８】
図３に示すごとく、基材１０の表面には、例えば、木目柄が印刷された化粧シート材１４ａ，１４ｂが貼り付けられる（ラッピングされる）。基材１０の表面１３ａには、化粧シート材１４ａが貼着され、基材１０の裏面１３ｂには、化粧シート材１４ｂが貼着される。また、図２に示すごとく、基材１０の幅方向Ｘの側端部にも化粧シート材１４ｃが貼設される。
【００２９】
また、図３に示すごとく、化粧シート材１４ａの前端部は、段鼻部１１の切欠き部１２の底面部１２ａまで至り、また、化粧シート材１４ｂは、基材１０の前端面１３ｃを回り込みつつ、段鼻部１１の切欠き部１２の底面部１２ａに至るようになっている。そして、両化粧シート材１４ａ，１４ｂの継目１４ｄが、切欠き部１２の底面部１２ａに配置されるようになっている。
【００３０】
また、図３に示すごとく、段鼻部１１の切欠き部１２には、樹脂製の長尺部材からなるベース部材２０が取付けられる。このベース部材２０は、踏板２の奥行き方向Ｙにおいて、段鼻部１１の先端に位置するように構成される角部２１と、角部２１よりも奥行き方向Ｙの奥側（段鼻部１１の先端の反対側）に位置する溝部２２と、を有して構成される。
【００３１】
ベース部材２０の角部２１は、その表面を構成する表層部２１ａと、内部に四つの中空孔部２１ｂ，２１ｂを形成する略十字状の芯部２１ｃと、を有して構成される。
【００３２】
角部２１の表層部２１ａ、芯部２１ｃは、軟質の樹脂にて構成され、また、中空孔部２１ｂ，２１ｂが存在することで、角部２１が小さな荷重でも容易に撓むように構成されることが好ましい。
【００３３】
これにより、例えば、階段を上る際において角部２１に足指のつま先をぶつけてしまった場合においても、角部２１がクッションの役割を発揮して、痛みの発生を防止することが可能となる。なお、角部２１について中空孔部２１ｂ，２１ｂを省略することとしてもよい。
【００３４】
ベース部材２０の溝部２２は、奥行き方向Ｙにおいて離間する縦壁部２２ａ，２２ｂと、縦壁部２２ａ，２２ｂの下端部を結ぶように構成される底板部２２ｃを有し、縦壁部２２ａ，２２ｂ、及び、底板部２２ｃによって上方が開放される溝空間２２ｄを構成するようになっている。
【００３５】
溝部２２を構成するための縦壁部２２ａ，２２ｂ、及び、底板部２２ｃは、角部２１と比較して弾性変形し難い硬質の樹脂にて構成され、人の体重がかけられても容易に変形しないように構成することが好ましい。
【００３６】
これにより、例えば、階段を下る際において溝部２２、及び、溝部２２にカバー部材３０に足がかけられた場合であっても、溝部２２が容易に撓むことなく、しっかりと下側から足元を支えることが可能となる。なお、縦壁部２２ｂの上端部であって、上方に開放される部位を軟質部位２３で構成し、足が接触する際に柔らかい感触が与えられるようにしてもよい。また、縦壁部２２ｂについては、その一部、或いは、全部が省かれた構成としてもよい。
【００３７】
また、ベース部材２０の長手方向の複数箇所において、溝部２２の底板部２２ｃには上下方向の貫通孔２２ｅが形成されており、この貫通孔２２ｅを通じて上側からビスなどの固定具２４が挿し込まれることにより、底板部２２ｃが切欠き部１２の底面部１２ａに対して固定され、ベース部材２０が基材１０に対して固定される。また、固定具２４の頭部２４ａは、溝空間２２ｄに収容した状態とすることができる。
【００３８】
また、ベース部材２０の底板部２２ｃが切欠き部１２の底面部１２ａに当接し、また、ベース部材２０の縦壁部２２ｂが切欠き部１２の縦面部１２ｂに当接することで、基材１０に対するベース部材２０の位置決めが行えるようになっている。
【００３９】
また、図３に示すごとく、ベース部材２０の溝部２２には、樹脂製の長尺部材からなるカバー部材３０が取付けられる。このカバー部材３０は、ベース部材２０の溝部２２に挿入されて、縦壁部２２ａ，２２ｂの横溝状の係止部２２ｍ，２２ｎに係止される突状部３２ｍ，３２ｎが形成される縦壁部３２ａ，３２ｂと、ベース部材２０に取付けた状態で水平面を構成する水平面部３１とを有して構成される。
【００４０】
本実施形態では、カバー部材３０はベース部材２０の溝部２２に嵌合することで固定できるように構成されており、嵌合した状態において、水平面部３１によりベース部材２０の溝部２２が閉じられるとともに、水平面部３１と、角部２１の表層部２１ａの上面部分と、基材１０の表面１３ａ（化粧シート材１４ａの表面）によって、連続した略水平の表面が構成されるようになっている。
【００４１】
また、水平面部３１には、他の部位よりも弾性変形のし易い軟質の樹脂にて構成される板状部３３が設けられている。この板状部３３は、水平面部３１の表面から例えば０．５ｍｍ程度といったわずかに突出するように設けられている。
【００４２】
このような板状部３３によって、滑り止めの効果を発揮することができる。また、板状部３３の色を他の部位と異ならせることにより、段鼻部１１の位置を視認しやすくする視覚的効果を発揮させることとしてもよい。
【００４３】
また、水平面部３１や縦壁部３２ａ，３２ｂについては、板状部３３と比較して弾性変形し難い硬質の樹脂にて構成され、人の体重がかけられても容易に変形しないように構成することが好ましい。
【００４４】
これにより、例えば、階段を下る際においてカバー部材３０に足がかけられた場合であっても、カバー部材３０が容易に撓むことなく、しっかりと下側から足元を支えることが可能となる。
【００４５】
次に、図４及び図５に示す端部キャップ４０について説明する。図４に示すごとく、端部キャップ４０は、踏板２の奥行き方向Ｙの前端部（段鼻部１１）と、幅方向Ｘの側端部の角部Ｋに配置される。
【００４６】
この端部キャップ４０は、図５に示すごとく、上面部４１と、側面部４２と、前面部４３と、固定用突出部４４とを有して構成されている。
【００４７】
図４及び図５に示すごとく、固定用突出部４４は、側面部４２から突出するように形成され、ベース部材２０の溝部２２に挿入される。固定用突出部４４の突端部には、上下方向の貫通孔４４ａが形成されており、この貫通孔４４ａが、ベース部材２０の底板部２２ｃに形成した上下方向の貫通孔２２ｅと一致するように構成され、この一致した両貫通孔４４ａ，２２ｅに固定具２４が挿し込まれることによって、端部キャップ４０がベース部材２０と一体的に基材１０に対して固定されるようになっている。
【００４８】
端部キャップ４０が固定された状態では、ベース部材２０の幅方向Ｘの端部が端部キャップ４０の上面部４１、側面部４２、前面部４３によって取り囲まれるようになっている。これにより、ベース部材２０の幅方向Ｘの端部を端部キャップ４０によって隠すように仕上げることが可能となり、意匠性を確保することができる。
【００４９】
また、樹脂製のベース部材２０やカバー部材３０が伸縮し、基材１０とベース部材２０やカバー部材３０の間に隙間が生じてしまうようなことがあっても、この隙間を端部キャップ４０によって覆い隠せることになる。
【００５０】
また、端部キャップ４０の上面部４１、側面部４２、前面部４３の三つの面が集まるコーナー部４５は、なだらかな曲面で形成されることにより、足指のつま先をコーナー部４５にぶつけてしまった場合に大きな痛みが発生し難い構成とすることが好ましい。
【００５１】
以上のように構成される各部材を用いた踏板２の組立手順の一例について説明すると、図６に示すごとく、まず、基材１０に対して化粧シート材１４ａ，１４ｂ，１４ｃを貼着した状態とし、段鼻部１１の切欠き部１２にベース部材２０を収めるとともに、ベース部材２０の貫通孔２２ｅ（図３）に端部キャップ４０の貫通孔４４ａ（図５）を合わせた状態とする。
【００５２】
次いで、固定具２４を挿し込むことによって、ベース部材２０と端部キャップ４０を基材１０に対して固定する。この際、切欠き部１２における化粧シート材１４ａ，１４ｂの継目１４ｄをベース部材２０によって隠すことが可能となる。また、ベース部材２０の幅方向Ｘの複数箇所において、適宜間隔を空けて固定具２４による基材１０に対する固定がなされる。
【００５３】
次いで、カバー部材３０をベース部材２０の溝部２２に対して挿入し、嵌合固定される。この際、ベース部材２０の端部には端部キャップ４０が既に取付けられており、端部キャップ４０の上面部４１が存在するため、カバー部材３０をけんどん方式で取付けることになる。
【００５４】
以上のようにして、踏板２を構成することができる。そして、踏板２の外観を構成する部位、即ち、化粧シート材１４ａ，１４ｂ，１４ｃ、ベース部材２０、カバー部材３０、端部キャップ４０については、その色彩や、模様を適宜選定することにより、踏板２の意匠を設計することが可能なものとなる。さらに、例えば、板状部３３、水平面部３１の色を他の部位と変えると、各踏板の視認性が向上し、階段昇降時の転倒回避につなげることができる。
【００５５】
以上のようにして本発明を実施することができ、以上の構成から説明されるように、本発明は以下の点を特徴とすることができる。
即ち、図１乃至図３に示すごとく、踏板２の少なくとも一方の端部が露出するタイプの階段に用いられる踏板２であって、踏板２（基材１０）の角部（段鼻部１１）に形成された切欠き部１２に樹脂製の段鼻部材が設けられ、段鼻部材は、ベース部材２０と、カバー部材３０とからなる踏板２とする。
【００５６】
これにより、段鼻部１１に樹脂製の段鼻部材を設けた踏板２を構成することができる。
【００５７】
また、段鼻部材には、端部キャップ４０の取り付けスペースが設けられる、こととする。上述の実施形態では、ベース部材２０の溝空間２２ｄに、端部キャップ４０の固定用突出部４４が挿入される構成とすることで、段鼻部材に端部キャップ４０の取り付けスペース（溝空間２２ｄ）が構成されることとなっている。
【００５８】
これにより、端部キャップによって段鼻部材の端部を隠すことが可能となり、オープンタイプの階段において、踏板の側端部について好適な仕上げが可能となる。
【００５９】
また、図５に示すごとく、段鼻部材は、ベース部材２０と、カバー部材３０とからなり、ベース部材２０とカバー部材３０の端部に端部キャップ４０が設けられ、ベース部材２０と端部キャップ４０は、基材１０に対して共留めしてなる、こととする。
【００６０】
これにより、基材１０に対するベース部材２０と端部キャップ４０の固定を一つの固定具２４により行うことができ、組立時において作業工数が少なく、また、部品点数が少ない構成が実現できる。
【００６１】
基材１０には化粧シート材が貼設されるものであり、切欠き部１２に化粧シート材１４ａ，１４ｂの継目１４が配置される、こととする。
【００６２】
これにより、化粧シート材１４ａ，１４ｂの継目１４を段鼻部材（ベース部材２０、カバー部材３０）によって隠すことができ、意匠性を確保することができる。
【００６３】
ベース部材２０において、踏板２の奥行き方向Ｙにおいて段鼻部１１が配置される側となる前端部の角部２１は、ベース部材２０における他の部位よりも、軟質性が高い樹脂にて構成されることとする。つまり、踏板２の角部２１を形成するベース部材２０の一部は、軟質の樹脂にて構成されることとしている。
【００６４】
これにより、例えば、階段を上る際において角部２１に足指のつま先をぶつけてしまった場合においても、角部２１がクッションの役割を発揮して、痛みの発生を防止することが可能となる。
【００６５】
また、図１に示すごとく、以上の構成とする踏板２を備える階段１を構成することにより、各踏板２の段鼻部１１に樹脂製の段鼻部材を設けた階段を実現することができる。
【００６６】
なお、図１に示す実施形態では、各踏板２の幅方向において一方の端部が露出するオープンタイプの階段１が成されることとしたが、例えば、図４に示されるように、両側の端部が露出するオープンタイプの階段に用いられる踏板２についても、本発明を適用することができる。
【００６７】
また、本発明が適用され得る踏板２（基材１０）の形状については、図２に示されるような長方形状に限られるものではなく、階段のコーナー部において用いられる踏板であって、段鼻部の一片を対辺に対して傾斜させる形状（三角形状）の踏板についても適用することができる。
【産業上の利用可能性】
【００６８】
本発明は、住宅、施設などの階段を構成する踏板について幅広く適用することが可能となる。
【符号の説明】
【００６９】
１    階段
２    踏板
１０    基材
１１    段鼻部
１２    切欠き部
２０    ベース部材
３０    カバー部材
４０    端部キャップ
Ｘ    幅方向
Ｙ    奥行き方向
【図１】
2014091916.tif 000003
【図２】
2014091916.tif 000004
【図３】
2014091916.tif 000005
【図４】
2014091916.tif 000006
【図５】
2014091916.tif 000007
【図６】
2014091916.tif 000008